(57)【要約】【課題】外転処置を実行するために適切な車いすを改良すること。【解決手段】シート（１６）を保持するために設けられたフレーム（１，２，３，４，５，１１）と、シート（１６）の両側に設けられておりかつフレームに着脱自在に結合されている両方の側方部分（１４）とを有する車いすであって、これらの側方部分が、シート面に対し実質的に垂直に延びている垂直方向の軸（Ｖ）を中心として回動自在であることによって、側方部分の、シート（１６）に対する角度位置が、外転処置を実行するために、調整可能である。【選択図】      図１
2009066414.tif 000002
【特許請求の範囲】
【請求項１】
シート（１６）を保持するために設けられたフレーム（１，２，３，４，５，１１）と、前記シート（１６）の両側に設けられておりかつ前記フレームに着脱自在に結合されている両方の側方部分（１４）とを有する車いすであって、これらの側方部分が、シート面（１７）に対し実質的に垂直に延びている垂直方向の軸（Ｖ）を中心として回動自在であることによって、前記側方部分の角度位置は、外転処置を実行するために、調整可能である、車いす。
【請求項２】
各々の側方部分（１４）と前記フレームとの結合は、２本の互いに平行に設けられているバー（９，１０）によってなされること、これらのバー（９，１０）の先端部が、折り曲げられていること、および前記側方部分（１４）を平行に整列させるための折り曲げ部が、実質的に互いに逆方向に形成されていることを特徴とする請求項１に記載の車いす。
【請求項３】
前記一方のバー（９）が走行方向（Ｆ）に、前記他方のバー（１０）が走行方向（Ｆ）と逆方向に折り曲げられていることを特徴とする請求項２に記載の車いす。
【請求項４】
前記両方のバー（９，１０）の先端部が、保持要素に取り付けられており、この保持要素には、前記側方部分（１４）が取付可能であることを特徴とする請求項２または３に記載の車いす。
【請求項５】
前記両方のバー（９，１０）の前記先端部は、前記側方部分（１４）に取り付けられていることを特徴とする請求項２または３に記載の車いす。
【請求項６】
前記両方のバー（９，１０）の末端部が、前記フレーム（１１）に結合された取付要素（１２）に取り付けられていることを特徴とする請求項４または５に記載の車いす。
【請求項７】
前記両方のバー（９，１０）は、横断面が円形であることを特徴とする請求項１ないし６のいずれか１項に記載の車いす。
【発明の詳細な説明】
【技術分野】
【０００１】
本発明は、外転処置を実行するために適切な車いすに関する。この車いすは、シート面を形成するシートを保持するために設けられているフレームを有する。
【背景技術】
【０００２】
このような車いすは、例えば特許文献１から公知である。特に子供および青少年の車いす患者の治療のためには、両足の調節のために両足を広げることが、しばしば必要である。この目的のためには、患者の足の内側に、両足を外側に広げるくさび状部材が取り付けられる。広げられた両足を側方のフレーム部分にぶつけかつ擦る際に、圧迫箇所および傷の箇所を防ぐために、フレーム部分が、前方領域で、フレームパイプに関節結合されている。それ故に、側面が外側へ広げられることが可能である。拡張は、患者個々人に適合することができる。
【０００３】
外転、従って足の角度位置は、既に腰で始まる。公知の車いすでは、しかし、外転は、患者の膝の領域ではじめて始まる。何故ならば、側方フレームの前方領域のみが調整可能だからである。
【０００４】
必要な治療処置なしでも、外転の調整は役立つ。何故ならば、この外転の調整は、患者に、場合によっては、万が一必要であるときは、調整のない場合よりも良い支えを提供するからである。
【０００５】
外転を既に腰領域で始めるためには、角度に適合したシートシェルを用いることが知られている。しかし、このとき、外転は事前設定されている。
【０００６】
両方の側方部分が走行方向に折り曲げられており、それ故に、シート領域が外側へ広げられてなる車いす用フレームが、特許文献２から公知である。ここでも、外転が事前設定されている。
【特許文献１】DE 295 09 698 U1
【特許文献２】DE 91 12 908 U1
【発明の開示】
【０００７】
課題の提示を前提として、明細書の初めの部分に記載の車いすを改良することが意図される。
【０００８】
課題の解決のために、外転処置を実行するために適切な車いすは、シートの両側に設けられておりかつフレームに着脱自在に結合されている両方の側方部分が設けられており、これらの側方部分が、シート面に対し実質的に垂直に延びている垂直方向の軸を中心として回動自在であることによって、側方部分の、シートに対する角度位置が、外転処置を実行するために、調整可能であることを特徴とする。
【０００９】
このような処置によって、角度に適合したシートシェルを用いることなく、外転が既に腰領域で始まることが可能である。従って、外転は、容易に変えることができ、回復の進捗に適合される。
【００１０】
２本の互いに平行に設けられておりかつ先端部が折れ曲がったバーにより、各々の側方部分とフレームとの結合がなされ、折れ曲がり部が実質的に互いに逆向きに形成されていることは好ましい。
【００１１】
この実施の形態によって、両方の側方部分は、通常のように、シートパイプに対し平行にまたは互いに平行に設けられてもよい。２本のバーの同時の回転によって、各々の側方部分の角度を個々に調整することができる。側方部分の角度が、側方部分の全長に亘って調整可能であるので、シート幅の拡張（外転）が、既に腰からなされる。それ故に、患者の、解剖学的に正しい両足位置が保たれる。
【００１２】
一方のバーが走行方向に、他方のバーが走行方向と逆方向に折り曲げられていることは好ましい。調整可能な角度は、この実施の形態によって最大化される。
【００１３】
両方のバーの、折り曲げられた先端部は、側方部分を取り付けることができる保持要素に、あるいは、側方部分に直接取り付けられていることが可能である。
【００１４】
これらのバーの末端部が、フレームに結合されている取付要素に取り付けられていることは好ましい。これらのバーの容易な回転可能性を達成し、かつ角度を無段で調整することができるためには、バーの横断面が円形に形成されていることは好ましい。
【発明を実施するための最良の形態】
【００１５】
以下、図面を参照して本発明の実施の形態を詳述する。車いすは、種々のパイプ１，２，３，４，５，１１から構成されるフレームからなる。このフレームには、後輪８および操舵可能な前輪６が取り付けられている。フレームパイプすなわちパイプ４には、フットレスト７が取り付けられている。シートパイプすなわちパイプ５は、シート面１７を形成するシート１６を支持している。２本のシートパイプ５には、夫々、下方に向いたパイプ１１が取り付けられている。このパイプには、先端部が曲げられておりかつ横断面が円形である２本のバー９，１０が、取付要素１２によって取り付けられている。
【００１６】
両方の側方部分１４は、図５および６では点線で示すように、バー９，１０の先端部に直接結合されていてもよいし、あるいは、図７および８に示すように、アダプタ１３を介して結合されていてもよい。側方部分１４同士を互いに平行にまたはシートパイプ５に対し平行に整列させるために、２本のバー９，１０は、取付要素に、以下のように、すなわち、両方の先端部の折り曲げ部が、実質的に向かい合っており、従って、走行方向Ｆに前方のバー９の折り曲げ部が、走行方向Ｆに、後方のバー１０の折り曲げ部が、走行方向Ｆと逆方向に、シート面１７に実質的に垂直に延びている垂直方向の軸Ｖに対し対称的に移動される（図１，３，７を参照せよ）ように、整列されている。バー９，１０の先端部は、アダプタ１３従ってまた側方部分１４に回転自在に取り付けられている。外転を調整するために、取付要素１２に設けられた２本のねじ１５が緩められ、同時に、２本のバー９，１０が互いにかつ軸Ｖを中心として回転される。それ故に、側方部分１４従ってまたアダプタが、シートパイプ５に対し角度αをなしている。バー９，１０同士の間隔は、回転の際に一定である。回転は、軸（中心軸）Ｖを中心として、２本のバー９，１０の間でなされる。正しい角度αが調整されているとき、締付ねじ、すなわちねじ１５が再度緊締される。
【図面の簡単な説明】
【００１７】
【図１】両方の平行になっている側方部分を有する車いすの平面図を示す。
【図２】側方部分の外転が調整された、図１の車いすの、その平面図を示す。
【図３】両方のバーの配置を側面図で示す。
【図４】矢印ＩＶから見た、図３に基づく図を示す。
【図５】調整された角度を有する、図３に対応する図を示す。
【図６】矢印ＶＩから見た、図５に基づく図を示す。
【図７】保持要素を有する、図３に対応する図を示す。
【図８】図７に示した矢印ＶＩＩＩから見た図を示す。
【図９】アダプタを有する、図５に基づく図を示す。
【図１０】図９に示した矢印Ｘから見た図を示す。
【図１１】図１に示した矢印ＸＩから見た部分側面図を示す。
【図１２】車いすの斜視図を示す。
【符号の説明】
【００１８】
１  フレームパイプ、フレーム、パイプ
２  フレームパイプ、フレーム、パイプ
３  フレームパイプ、フレーム、パイプ
４  フレームパイプ、フレーム、パイプ
５  シートパイプ、フレーム、パイプ
６  前輪
７  フットレスト
８  後輪
９  バー
１０  バー
１１  パイプ、フレーム
１２  取付要素
１３  アダプタ
１４  側方部分
１５  ねじ、締付ねじ
１６  シート
１７  シート面
Ｖ  軸、縦軸、中心軸。
【図１】
2009066414.tif 000003
【図２】
2009066414.tif 000004
【図３】
2009066414.tif 000005
【図４】
2009066414.tif 000006
【図５】
2009066414.tif 000007
【図６】
2009066414.tif 000008
【図７】
2009066414.tif 000009
【図８】
2009066414.tif 000010
【図９】
2009066414.tif 000011
【図１０】
2009066414.tif 000012
【図１１】
2009066414.tif 000013
【図１２】
2009066414.tif 000014